(57)【特許請求の範囲】
【請求項１】
複数の３次元微細構造物が第１のピッチ（ｗ）で配列された３次元微細構造物アレイを有し、
複数のマイクロレンズが前記第１のピッチ（ｗ）とは異なる第２のピッチ（ｐ）で配列されたマイクロレンズアレイを有する判定シートを前記３次元微細構造物アレイに重ねることで、前記マイクロレンズの焦点位置に前記３次元微細構造物を位置させ、拡大された前記３次元微細構造物が観察可能となり、
前記３次元微細構造物に対するピッチ差（ｗ−ｐ）の比率をＡ［％］とすると、
ｗ＞ｐの場合には、
１００ｗ／（２０００＋ｗ）≧Ａ＞０
を満たすように、ｗを設定し、
ｗ＜ｐの場合には、
１００ｗ／（２０００−ｗ）≧Ａ＞０
を満たすように、ｗを設定することを特徴とする
セキュリティ媒体。
【請求項２】
第１の領域に３次元微細構造物アレイが形成され、第２の領域にマイクロレンズアレイが形成された可撓性を有するシートを備え、
前記３次元微細構造物アレイは、複数の３次元微細構造物が第１のピッチ（ｗ）で配列され、
前記マイクロレンズアレイは、複数のマイクロレンズが前記第１のピッチ（ｗ）とは異なる第２のピッチ（ｐ）で配列され、
前記シートを曲げ、前記マイクロレンズの焦点位置に前記３次元微細構造物を位置させることで、拡大された前記３次元微細構造物が観察可能となり、
前記３次元微細構造物に対するピッチ差（ｗ−ｐ）の比率をＡ［％］とすると、
ｗ＞ｐの場合には、
１００ｗ／（２０００＋ｗ）≧Ａ＞０
を満たすように、ｗを設定し、
ｗ＜ｐの場合には、
１００ｗ／（２０００−ｗ）≧Ａ＞０
を満たすように、ｗを設定することを特徴とする
セキュリティ媒体。
【請求項３】
複数の３次元微細構造物が第１のピッチ（ｗ）で配列された３次元微細構造物アレイを有する第１のシートと、
複数のマイクロレンズが前記第１のピッチ（ｗ）とは異なる第２のピッチ（ｐ）で配列されたマイクロレンズアレイを有する第２のシートと、
前記第１のシートと前記第２のシートは開閉可能に綴じられると共に、閉じた状態において、前記マイクロレンズの焦点位置に前記３次元微細構造物が位置するように前記第１のシートに前記第２のシートが重なることで、拡大された前記３次元微細構造物が観察可能となり、
前記３次元微細構造物に対するピッチ差（ｗ−ｐ）の比率をＡ［％］とすると、
ｗ＞ｐの場合には、
１００ｗ／（２０００＋ｗ）≧Ａ＞０
を満たすように、ｗを設定し、
ｗ＜ｐの場合には、
１００ｗ／（２０００−ｗ）≧Ａ＞０
を満たすように、ｗを設定することを特徴とする
セキュリティ媒体。
【請求項４】
複数のマイクロミラーレンズが第１のピッチ（ｐ）で配列されたマイクロミラーレンズアレイを有し、
複数の３次元微細構造物が前記第１のピッチ（ｐ）とは異なる第２のピッチ（ｗ）で配列された３次元微細構造物アレイを有する判定シートを前記マイクロミラーレンズアレイに重ねることで、前記マイクロミラーレンズの焦点位置に前記３次元微細構造物を位置させ、拡大された前記３次元微細構造物が観察可能となり、
前記３次元微細構造物に対するピッチ差（ｗ−ｐ）の比率をＡ［％］とすると、
ｗ＞ｐの場合には、
１００ｗ／（２０００＋ｗ）≧Ａ＞０
を満たすように、ｗを設定し、
ｗ＜ｐの場合には、
１００ｗ／（２０００−ｗ）≧Ａ＞０
を満たすように、ｗを設定することを特徴とする
セキュリティ媒体。
【請求項５】
第１の領域に３次元微細構造物アレイが形成され、第２の領域にマイクロミラーレンズアレイが形成された可撓性を有するシートを備え、
前記マイクロミラーレンズアレイは、複数のマイクロミラーレンズが第１のピッチ（ｐ）で配列され、
前記３次元微細構造物アレイは、複数の３次元微細構造物が前記第１のピッチ（ｐ）とは異なる第２のピッチ（ｗ）で配列され、
前記シートを曲げ、前記マイクロミラーレンズの焦点位置に前記３次元微細構造物を位置させることで、拡大された前記３次元微細構造物が観察可能となり、
前記３次元微細構造物に対するピッチ差（ｗ−ｐ）の比率をＡ［％］とすると、
ｗ＞ｐの場合には、
１００ｗ／（２０００＋ｗ）≧Ａ＞０
を満たすように、ｗを設定し、
ｗ＜ｐの場合には、
１００ｗ／（２０００−ｗ）≧Ａ＞０
を満たすように、ｗを設定することを特徴とする
セキュリティ媒体。
【請求項６】
複数のマイクロミラーレンズが第１のピッチ（ｐ）で配列されたマイクロミラーレンズアレイを有する第１のシートと、
複数の３次元微細構造物が前記第１のピッチ（ｐ）とは異なる第２のピッチ（ｗ）で配列された３次元微細構造物アレイを有する第２のシートと、
前記第１のシートと前記第２のシートは開閉可能に綴じられると共に、閉じた状態において、前記マイクロミラーレンズの焦点位置に前記３次元微細構造物が位置するように、前記第１のシートに前記第２のシートが重なることで、拡大された前記３次元微細構造物が観察可能となり、
前記３次元微細構造物に対するピッチ差（ｗ−ｐ）の比率をＡ［％］とすると、
ｗ＞ｐの場合には、
１００ｗ／（２０００＋ｗ）≧Ａ＞０
を満たすように、ｗを設定し、
ｗ＜ｐの場合には、
１００ｗ／（２０００−ｗ）≧Ａ＞０
を満たすように、ｗを設定することを特徴とする
セキュリティ媒体。
【請求項７】
請求項１から請求項６の何れか１項に記載のセキュリティ媒体を用いて真贋判定を行うことを特徴とする
真贋判定方法。
【発明の詳細な説明】
【技術分野】
【０００１】
本発明は、真贋判定を可能とするセキュリティ媒体、特に、直接目視することでは判別不可能な３次元微細構造物を有するセキュリティ媒体、並びに、その真贋判定方法に関する。
【背景技術】
【０００２】
金券やＩＤ証など、偽造防止を必要とされている媒体において、特殊な装置を必要とすることなく簡易に真贋判定出来ることが求められている一方で、複製が困難なハイセキュリティ性が求められている。
【０００３】
従来、パールインキやホログラムなど容易に目視判断出来る偽造防止画像形成物や、印刷物の中に２次元の潜像図柄を組込みマイクロレンズによって潜像を発現させて真贋判定可能な偽造防止画像形成物が知られている。また３次元形状を持つ構造物のシートの上にマイクロレンズシートを接着層で接着し、モアレの効果で拡大像を発現させるものも知られている。
【０００４】
特許文献１には、回折構造からなる表示パターンの上側にブレーズド型もしくはバイナリ型のホログラムレンズを重ね合わせることで生じるモアレ効果によって合成像を表示する表示体が開示されている。
【０００５】
特許文献２には、マイクロレンズと顕微鏡レベル構造体を組み合わせ、顕微鏡レベル構造体をモアレ効果で拡大させて見るセキュリティ媒体が開示されている。
【先行技術文献】
【特許文献】
【０００６】
【特許文献１】特開２００９−１８６５４４号公報
【特許文献２】特表２００８−５２９８５１号公報
【発明の概要】
【発明が解決しようとする課題】
【０００７】
特許文献１、特許文献２に開示されるセキュリティ媒体は、それ自体で真贋判定を行うことのできる、いわゆるオバートなセキュリティ媒体である。このようなオバートなセキュリティ媒体では、セキュリティ媒体自体のみを用い、それに提示される像が所定の像であるか否かを観察することで真贋判定が行うことが可能とされている。
【０００８】
真贋判定には、このようなオバートな判定方法のみならず、ルーペ等の簡易な判別具を使用して判定を行うコバートな判定方法、さらには、分析装置などを利用してさらに複雑な判定を行うフォレンジックな判定方法が知られている。コバートな判定方法によれば、判定のための判別具を所有する鑑定者のみが真贋判定を行うことが可能となり、真贋判定における秘匿性のみならず、セキュリティ媒体の偽造や模造を抑制することも可能となる。
【０００９】
本発明の目的の１つは、このようなコバートな真贋判定を利用する新たなセキュリティ媒体、並びに、セキュリティ媒体を利用した真贋判定方法を提案することにある。
【課題を解決するための手段】
【００１０】
そのため本発明に係るセキュリティ媒体は、
複数の３次元微細構造物が第１のピッチ（ｗ）で配列された３次元微細構造物アレイを有し、
複数のマイクロレンズが前記第１のピッチ（ｗ）とは異なる第２のピッチ（ｐ）で配列されたマイクロレンズアレイを有する判定シートを前記３次元微細構造物アレイに重ねることで、前記マイクロレンズの焦点位置に前記３次元微細構造物を位置させ、拡大された前記３次元微細構造物が観察可能となり、
前記３次元微細構造物に対するピッチ差（ｗ−ｐ）の比率をＡ［％］とすると、
ｗ＞ｐの場合には、
１００ｗ／（２０００＋ｗ）≧Ａ＞０
を満たすように、ｗを設定し、
ｗ＜ｐの場合には、
１００ｗ／（２０００−ｗ）≧Ａ＞０
を満たすように、ｗを設定することを特徴とする。
【００１１】
また本発明に係るセキュリティ媒体は、
第１の領域に３次元微細構造物アレイが形成され、第２の領域にマイクロレンズアレイが形成された可撓性を有するシートを備え、
前記３次元微細構造物アレイは、複数の３次元微細構造物が第１のピッチ（ｗ）で配列され、
前記マイクロレンズアレイは、複数のマイクロレンズが前記第１のピッチ（ｗ）とは異なる第２のピッチ（ｐ）で配列され、
前記シートを曲げ、前記マイクロレンズの焦点位置に前記３次元微細構造物を位置させることで、拡大された前記３次元微細構造物が観察可能となり、
前記３次元微細構造物に対するピッチ差（ｗ−ｐ）の比率をＡ［％］とすると、
ｗ＞ｐの場合には、
１００ｗ／（２０００＋ｗ）≧Ａ＞０
を満たすように、ｗを設定し、
ｗ＜ｐの場合には、
１００ｗ／（２０００−ｗ）≧Ａ＞０
を満たすように、ｗを設定することを特徴とする。
【００１２】
また本発明に係るセキュリティ媒体は、
複数の３次元微細構造物が第１のピッチ（ｗ）で配列された３次元微細構造物アレイを有する第１のシートと、
複数のマイクロレンズが前記第１のピッチ（ｗ）とは異なる第２のピッチ（ｐ）で配列されたマイクロレンズアレイを有する第２のシートと、
前記第１のシートと前記第２のシートは開閉可能に綴じられると共に、閉じた状態において、前記マイクロレンズの焦点位置に前記３次元微細構造物が位置するように前記第１のシートに前記第２のシートが重なることで、拡大された前記３次元微細構造物が観察可能となり、
前記３次元微細構造物に対するピッチ差（ｗ−ｐ）の比率をＡ［％］とすると、
ｗ＞ｐの場合には、
１００ｗ／（２０００＋ｗ）≧Ａ＞０
を満たすように、ｗを設定し、
ｗ＜ｐの場合には、
１００ｗ／（２０００−ｗ）≧Ａ＞０
を満たすように、ｗを設定することを特徴とする
【００１３】
また本発明に係るセキュリティ媒体は、
複数のマイクロミラーレンズが第１のピッチ（ｐ）で配列されたマイクロミラーレンズアレイを有し、
複数の３次元微細構造物が前記第１のピッチ（ｐ）とは異なる第２のピッチ（ｗ）で配列された３次元微細構造物アレイを有する判定シートを前記マイクロミラーレンズアレイに重ねることで、前記マイクロミラーレンズの焦点位置に前記３次元微細構造物を位置させ、拡大された前記３次元微細構造物が観察可能となり、
前記３次元微細構造物に対するピッチ差（ｗ−ｐ）の比率をＡ［％］とすると、
ｗ＞ｐの場合には、
１００ｗ／（２０００＋ｗ）≧Ａ＞０
を満たすように、ｗを設定し、
ｗ＜ｐの場合には、
１００ｗ／（２０００−ｗ）≧Ａ＞０
を満たすように、ｗを設定することを特徴とする。
【００１４】
また本発明に係るセキュリティ媒体は、
第１の領域に３次元微細構造物アレイが形成され、第２の領域にマイクロミラーレンズアレイが形成された可撓性を有するシートを備え、
前記マイクロミラーレンズアレイは、複数のマイクロミラーレンズが第１のピッチ（ｐ）で配列され、
前記３次元微細構造物アレイは、複数の３次元微細構造物が前記第１のピッチ（ｐ）とは異なる第２のピッチ（ｗ）で配列され、
前記シートを曲げ、前記マイクロミラーレンズの焦点位置に前記３次元微細構造物を位置させることで、拡大された前記３次元微細構造物が観察可能となり、
前記３次元微細構造物に対するピッチ差（ｗ−ｐ）の比率をＡ［％］とすると、
ｗ＞ｐの場合には、
１００ｗ／（２０００＋ｗ）≧Ａ＞０
を満たすように、ｗを設定し、
ｗ＜ｐの場合には、
１００ｗ／（２０００−ｗ）≧Ａ＞０
を満たすように、ｗを設定することを特徴とする。
【００１５】
また本発明に係るセキュリティ媒体は、
複数のマイクロミラーレンズが第１のピッチ（ｐ）で配列されたマイクロミラーレンズアレイを有する第１のシートと、
複数の３次元微細構造物が前記第１のピッチ（ｐ）とは異なる第２のピッチ（ｗ）で配列された３次元微細構造物アレイを有する第２のシートと、
前記第１のシートと前記第２のシートは開閉可能に綴じられると共に、閉じた状態において、前記マイクロミラーレンズの焦点位置に前記３次元微細構造物が位置するように、前記第１のシートに前記第２のシートが重なることで、拡大された前記３次元微細構造物が観察可能となり、
前記３次元微細構造物に対するピッチ差（ｗ−ｐ）の比率をＡ［％］とすると、
ｗ＞ｐの場合には、
１００ｗ／（２０００＋ｗ）≧Ａ＞０
を満たすように、ｗを設定し、
ｗ＜ｐの場合には、
１００ｗ／（２０００−ｗ）≧Ａ＞０
を満たすように、ｗを設定することを特徴とする。
【００１６】
また本発明に係る真贋判定方法は、前述した何れか１つのセキュリティ媒体を用いて真贋判定を行うことを特徴とする。
【発明の効果】
【００１７】
本発明は、３次元微細構造物アレイを有するセキュリティ媒体を提供するものであって、特に、マイクロレンズアレイが形成された判定シートを重ねることで、セキュリティ媒体に形成された３次元微細構造物アレイを拡大して観察することを可能としている。判定シートは真贋鑑定者によって所有されるものであって、いわば判定シートを鍵として使用するコバートな判定を可能とするセキュリティ媒体を提供することを可能としている。
【００１８】
さらに本発明は、１枚のシートの第１の領域に３次元微細構造物を、第２の領域にマイクロレンズアレイを形成したセキュリティ媒体を提供することとしている。このような構成の場合には、３次元微細構造物に対するマイクロレンズアレイの重ね方を判定方法として真贋判定を行うことが可能となる。そのため、３次元微細構造物、マイクロレンズアレイの形成箇所、判定時における重ね方を鍵として真贋判定を行うことが可能となる。さらには、３次元微細構造物アレイ、マイクロレンズアレイを個別に観察することで真贋判定を行うことも可能となる。
【００１９】
さらに本発明は、開閉可能に綴じられた第１のシート、第２のシートのそれぞれに３次元微細構造物アレイ、マイクロレンズアレイを形成したセキュリティ媒体を提供することとしている。このような構成の場合には、ページを閉じて３次元微細構造物アレイ上にマイクレンズアレイを重ね、拡大された３次元微細構造物を観察することによる真贋判定を行うことが可能となる。さらには、ページを開いて３次元微細構造物、マイクロレンズアレイを個別に観察することによる真贋判定も可能とされる。
【００２０】
以上、３次元微細構造物アレイ、マイクロレンズアレイを用いた場合の効果について言及したが、３次元微細構造物アレイ、マイクロミラーレンズアレイを用いた場合においても同様の効果を奏することとなる。
【図面の簡単な説明】
【００２１】
【図１】本発明の実施形態に係るセキュリティ媒体の利用形態を示す斜視図（分離時）
【図２】本発明の実施形態に係るセキュリティ媒体の利用形態を示す斜視図（重畳時）
【図３】本発明の実施形態に係るセキュリティ媒体（タイプＡ）の観察時の様子を示す模式図
【図４】本発明の実施形態に係る３次元微細構造物、マイクロレンズの配列を示す図
【図５】本発明の他の実施形態に係る３次元微細構造物、マイクロレンズの配列を示す図
【図６】本発明の実施形態に係るセキュリティ媒体（タイプＡ）の実像表示原理を示す図
【図７】本発明の実施形態に係るセキュリティ媒体（タイプＡ）の虚像表示原理を示す図
【図８】本発明の実施形態に係るセキュリティ媒体（タイプＢ）の観察時の形態を示す模式図
【図９】本発明の実施形態に係るセキュリティ媒体（タイプＢ）の実像表示原理を示す図
【図１０】本発明の実施形態に係るセキュリティ媒体（タイプＢ）の虚像表示原理を示す図
【図１１】実像表示時における３次元微細構造物のピッチとピッチ差の関係を示す図
【図１２】虚像表示時における３次元微細構造物のピッチとピッチ差の関係を示す図
【図１３】本発明の実施形態に係るセキュリティ媒体（実施例１：タイプＡ）の断面を示す図
【図１４】本発明の実施形態に係るセキュリティ媒体（実施例２：タイプＢ）の断面を示す図
【図１５】本発明の実施形態に係るセキュリティ媒体（実施例３：タイプＡ）の形態を示す図
【図１６】本発明の実施形態に係るセキュリティ媒体（実施例３：タイプＡ）の断面を示す図
【図１７】本発明の実施形態に係るセキュリティ媒体（実施例４：タイプＡ）の断面を示す図
【図１８】本発明の実施形態に係るセキュリティ媒体（実施例５：タイプＢ）の断面を示す図
【図１９】本発明の実施形態に係るセキュリティ媒体（実施例６：タイプＡ）の形態を示す図
【図２０】本発明の実施形態に係るセキュリティ媒体（実施例６：タイプＡ）の断面を示す図
【図２１】本発明の実施形態に係るセキュリティ媒体（実施例７：タイプＡ）の断面を示す図
【発明を実施するための形態】
【００２２】
本発明に係るセキュリティ媒体の実施形態について図を用いて詳細に説明する。図１は、本発明の実施形態に係るセキュリティ媒体を有するセキュリティカードを示す斜視図である。セキュリティ媒体は、クレジットカードやＩＤ証、紙幣、金券、有価証券など真贋判定が必要とされる各種カード、紙類などに形成される媒体であって、容易に複製を作製することができないことが必要とされる。
【００２３】
図１に示すセキュリティ媒体５は、クレジットカードのようなセキュリティカード４に設けられた例となっている。本実施形態のセキュリティ媒体５は、３次元微細構造物が配列された３次元微細構造物アレイ６を有して構成されている。真贋判定を行う際は、図２に示されるように、このセキュリティカード４に設けられたセキュリティ媒体５に判定シート９を重ねることで実行される。本実施形態の判定シート９には、マイクロレンズアレイ７が設けられいる。真贋判定を行う際は、セキュリティ媒体５に判定シート９を重ねた状態において、マイクロレンズアレイ７を介して観察される像（拡大された３次元微細構造物）が所定の像であることをもって真のセキュリティカード４であることを確認可能としている。以後の説明では、図２に示すように、セキュリティカード４の板面をＸＹ平面にとり、ＸＹ平面に垂直かつ使用者が観察する方向をＺ軸の正の方向にとって説明する。
【００２４】
図３は、本発明の実施形態に係るセキュリティ媒体（タイプＡ）の観察時、すなわち、図２のようにセキュリティ媒体５に対して判定シート９（マイクロレンズアレイ７）が重ねられた状態を示す模式図であって、その状態の一部を拡大した斜視図となっている。本実施形態のセキュリティ媒体５は、複数の３次元微細構造物１がＸＹ平面と平行な面上に配列された３次元微細構造物アレイ６を有して構成されている。一方、判定シート９側には、複数のマイクロレンズ２がＸＹ平面と平行な面上に配列されたマイクロレンズアレイ７を有して構成されている。このマイクロレンズアレイ７によって、拡大された３次元微細構造物１の実像もしくは虚像を観察者に観察させる。これは隣接する３次元微細構造物１間の間隔（ピッチｗ）と隣接するマイクロレンズ２の間隔（ピッチｐ）の間にわずかな
ピッチ差を設け、ピッチ差によって発生するモアレ効果を利用したものとなっている。
【００２５】
図４には、図３に記載する３次元微細構造物１のＸＹ平面と平行な面における配列（３次元微細構造物アレイ６）、マイクロレンズ２のＸＹ平面と平行な面における配列（マイクロレンズアレイ７）が、それぞれ図３（ａ）、（ｂ）に示されている。本実施形態の３次元微細構造物１、マイクロレンズ２の配列は、どちらも格子状に配列されたものとなっている。図３（ａ）に示されるように隣接する３次元微細構造物１はＸ軸方向にピッチｗ、Ｙ軸方向にピッチｚを有して配列されている。ピッチｗとピッチｚを等距離としてもよい。３次元微細構造物１の形状は、任意な形状とすることができるが、後ほど説明する拡大率の関係を分かりやすくするため、直径ｈで円形の外形を有するものとしている。
【００２６】
一方、図４（ｂ）に示されるようにマイクロレンズ２は、３次元微細構造物１と同様に格子状に配列されている。そして隣接するマイクロレンズ２は、Ｘ軸方向にピッチｐ、Ｙ軸方向にピッチｑを有して配列されている。ただし、このピッチｐは３次元微細構造物１のピッチｗに対して僅かな差（ピッチ差）を有したものとなっている。このピッチｐとピッチｑも等距離としてもよい。なお、マイクロレンズ２のピッチｑについても、３次元微細構造物１のピッチｚと僅かな差（ピッチ差）を有して配列されている。
【００２７】
マイクロレンズ２の大きさは、数十〜数百μｍ程度の大きさに形成される。一方、マイクロレンズ２によって拡大される３次元微細構造物１は、マイクロレンズ２の大きさよりも小さく形成されることとなる。３次元微細構造物１は、秘匿性の都合上、直接目視したときに視認できない程度の大きさとすることが好ましい。
【００２８】
３次元微細構造物１とマイクロレンズ２の配列は、図４のような格子状配列に限らず、例えば、図５のような配列であってもよい。図５の例は、３次元微細構造物１、マイクロレンズ２が亀甲状に配列された例である。図５（ａ）に示されるように、Ｘ軸方向に隣接する３次元微細構造物１は、ピッチｗを有して配列される。そして、斜め方向に隣接する３次元微細構造物１も同様にピッチｗを有して配列されている。マイクロレンズ２も同様であって、図５（ｂ）に示されるようにＸ軸方向、斜め方向に隣接するマイクロレンズ２間はピッチｐを有して配列されている。本実施形態のセキュリティ媒体は、モアレ効果を利用することで複数の３次元微細構造物１の拡大表示像を重ねて観察者に提示することとしている。そのため、単位面積あたりに配置された３次元微細構造物１やマイクロレンズ２が多いほど、表示像を鮮明なものとすることが可能となる。
【００２９】
では、図３に示した構成のセキュリティ媒体（タイプＡ）について、その表示原理を図６を用いて説明する。ここではＸ軸方向に隣接する３次元微細構造物１による表示原理を説明するが、Ｙ軸方向、あるいは、斜め方向に隣接する３次元微細構造物１に対しても同様の表示原理を利用することで、表示像をより鮮明なものとすることが可能となる。
【００３０】
タイプＡのセキュリティ媒体は、真贋判定を行う際、観察者側に近い側にマイクロレンズ２のレンズ面が配置され、観察者から遠い側に３次元微細構造物１が配置されたレイアウトとなる。図６には、マイクロレンズ２によって形成されるレンズ面と、３次元微細構造物１、並びに観察される実像が模式的に示されている。
【００３１】
真贋判定を行う際、３次元微細構造物１は、Ｚ軸方向すなわち観察者の観察方向において、マイクロレンズ１の略焦点位置に位置することとなる。略焦点位置とは、観察者が拡大された３次元微細構造物１を視認できる範囲の位置を意味するものであって、正確な焦点距離に対し約３０％範囲以内の位置のことをいう。隣接するマイクロレンズ２間のピッチをｐ、隣接する３次元微細構造物１間のピッチをｗ、３次元微細構造物１の直径をｈ、マイクロレンズ２の曲率半径の中心位置から３次元微細構造物１までの距離をｄ、３次元
微細構造物１の実像とマイクロレンズ２の曲率半径の中心位置までの距離をＬとする。なお、図はＺＸ平面内での主光線の様子を示したものとなっているが、拡大の様子を分かりやすくするため、３次元微細構造物１とその実像についてはＸＹ平面と平行な面の様子を示したものとしている。図２で説明したように、観察者は、Ｚ軸の正方向を観察方向としてセキュリティ媒体の観察することで、拡大された３次元微細構造物１の像を観察することが可能とされる。
【００３２】
図６のセキュリティ媒体の構成は、マイクロレンズ２のピッチｐよりも３次元微細構造物１のピッチｗが大きい場合（ｗ＞ｐ）の構成となっている。この場合、３次元微細構造物１は、マイクロレンズ２によって拡大像を形成する。所定の距離Ｌの位置では、ピッチ差（ｗ−ｐ）を起因として、隣接する拡大像が同じ位置あるいは略同じ位置に重なり合うことで実像を形成、すなわち、セキュリティ媒体に対して観察者側に像が形成される。これはいわゆるモアレ効果を利用したものであって、観察者は拡大された３次元微細構造物１を浮いた状態で観察することが可能となる。
【００３３】
このように拡大して観察される３次元微細構造物１の拡大率について検証しておく。図５において幾何学上の相似関係から（１−１）式を導くことができる。
ｗ（Ｌ＋ｄ）＝ｐ／Ｌ      ・・・（１−１）
（１−１）式を変形すると、
Ｌ＝ｄｐ／（ｗ−ｐ）      ・・・（１−２）
【００３４】
同様に、幾何学上の相似関係から（１−３）式を導くことができる。
Ｈ＝Ｌｈ／ｄ              ・・・（１−３）
（１−３）式を変形すると、
Ｌ＝Ｈｄ／ｈ              ・・・（１−４）
【００３５】
（１−２）式と（１−４）式から、観察される３次元微細構造物１の拡大率αは（１−５）式にて表すことができる。
α＝Ｈ／ｈ＝ｐ／（ｗ−ｐ）・・・（１−５）
【００３６】
以下に、図６のセキュリティ媒体について、拡大率αと観察される像の大きさＣの数値実施例を記載しておく。何れの場合も３次元微細構造物１の大きさｈ（直径）を９０μｍ、３次元微細構造物のピッチｗを９８．９μｍに固定している。
【００３７】
【表１】
0005867695.tif 000002
【００３８】
表１から分かるようにピッチ差が小さくなるほど、拡大率α、観察像の大きさは共に大きくなることが分かる。また、１μｍのピッチ差が拡大率αに大きく影響を及ぼすこともみてとれる。３次元微細構造物１とマイクロレンズ２とのピッチ差を精密に異ならせて製造することは難しいため、その複製を困難な状態とし、容易に偽造や模造を行うことを防止することが可能となる。
【００３９】
図７は、図６と同様、観察者側にマイクロレンズ２が配置されているセキュリティ媒体（タイプＡ）であって、３次元微細構造物１のピッチｗよりもマイクロレンズ２のピッチｐが大きい場合（ｐ＞ｗ）の構成となっている。図７には、マイクロレンズ２によって形成されるレンズ面と、３次元微細構造物１、並びに観察される虚像が模式的に示されている。
【００４０】
真贋判定時、３次元微細構造物１は、Ｚ軸方向すなわち観察者の観察方向において、マイクロレンズ１の略焦点位置に位置する。略焦点位置とは、観察者が拡大された３次元微細構造物１を視認できる範囲の位置を意味するものであって、正確な焦点距離に対し約３０％範囲以内の位置のことをいう。隣接するマイクロレンズ２間のピッチをｐ、隣接する３次元微細構造物１間のピッチをｗ、３次元微細構造物１の直径をｈ、マイクロレンズ２の曲率半径の中心位置から３次元微細構造物１までの距離をｄ、３次元微細構造物１から実像までの距離をＬとする。図２で説明したように、観察者は、Ｚ軸の正方向を観察方向としてセキュリティ媒体の観察することで、拡大された３次元微細構造物１の像を観察することが可能とされる。
【００４１】
この場合、３次元微細構造物１は、マイクロレンズ２によって拡大像を形成する。このとき所定の距離Ｌの位置では、ピッチ差（ｐ−ｗ）を起因として、隣接する拡大像が同じ位置あるいは略同じ位置に重なり合うことで虚像を形成する。すなわち、セキュリティ媒体に対して観察者と反対側に像を形成する。観察者は拡大された３次元微細構造物１を沈んだ状態で観察することが可能となる。
【００４２】
このように拡大して観察される３次元微細構造物１の拡大率について検証しておく。図７において幾何学上の相似関係から（２−１）式を導くことができる。
ｗ／Ｌ＝ｐ／（Ｌ＋ｄ）    ・・・（２−１）
（２−１）式を変形すると、
Ｌ＝ｄｗ／（ｐ−ｗ）      ・・・（２−２）
【００４３】
同様に、幾何学上の相似関係から（２−３）式を導くことができる。
ｄ／ｈ＝（ｄ＋Ｌ）／Ｈ    ・・・（２−３）
（２−３）式を変形すると、
Ｌ＝ｄ（Ｈ／ｈ−１）      ・・・（２−４）
【００４４】
（２−２）式と（２−４）式から、観察される３次元微細構造物１の拡大率αは（２−５）式にて表すことができる。
α＝Ｈ／ｈ＝ｐ／（ｐ−ｗ）・・・（２−５）
【００４５】
図３に示されるようなタイプＡのセキュリティ媒体では、観察者側に配列されたマイクロレンズ２を介して、観察側に対して反対側（観察者側からみて遠い側）に配列された３次元微細構造物の実像あるいは虚像を拡大観察することが可能とされている。本実施形態のセキュリティ媒体は、このような構成（タイプＡ）のみならず、次のような構成（タイプＢ）を採用することもできる。
【００４６】
図８は、本発明の実施形態に係るセキュリティ媒体（タイプＢ）の観察時の様子を示す
模式図である。本実施形態のセキュリティ媒体は、複数のマイクロミラーレンズ３が配列されたマイクロミラーレンズアレイ８を有して構成されている。一方、判定シート９には、３次元微細構造物アレイ６を有して構成される。真贋判定は、セキュリティ媒体側のマイクロミラーレンズアレイ８に３次元微細構造物アレイ６を重ねた状態とし、マイクロミラーレンズアレイ８で反射した光によって形成される３次元微細構造物１の拡大像を観察することで実行される。
【００４７】
３次元微細構造物１の配列（３次元微細構造物アレイ６）、マイクロミラーレンズ３の配列（マイクロミラーレンズアレイ８）は、図８、図４に示すように格子状あるいは図５で説明したように亀甲状にて配置される。本実施形態の３次元微細構造物１並びにそれが配置されたシートは透明部材によって構成されている。一方、マイクロミラーレンズ３は、Ｚ軸正の方向に凸面形状を向けた反射面を有し、観察方向（Ｚ軸負側から正側に向かう方向）から入射する光を反射させる。マイクロミラーレンズ３で反射された光は、３次元微細構造物１を透過し、観察者に対して３次元微細構造物１の実像もしくは虚像を拡大表示する。
【００４８】
図９は、観察者側に３次元微細構造物１を位置させることで真贋判定を実行するセキュリティ媒体（タイプＢ）であって、３次元微細構造物１のピッチｗよりもマイクロミラーレンズ３のピッチｐが大きい場合（ｐ＞ｗ）の構成となっている。図９には、マイクロミラーレンズ３によって形成されるミラー面と、３次元微細構造物１、並びに観察される実像が模式的に示されている。
【００４９】
真贋判定時、３次元微細構造物１は、Ｚ軸上すなわち観察者の観察方向において、マイクロミラーレンズ３の略焦点位置に位置させることとなる。略焦点位置とは、観察者が拡大された３次元微細構造物１を視認できる範囲の位置を意味するものであって、正確な焦点距離に対し約３０％範囲以内の位置のことをいう。隣接するマイクロミラーレンズ３間のピッチをｐ、隣接する３次元微細構造物１間のピッチをｗ、３次元微細構造物１の直径をｈ、マイクロミラーレンズ３の曲率半径の中心位置から３次元微細構造物１までの距離をｄ、３次元微細構造物１からその実像までの距離をＬとする。
【００５０】
この場合、マイクロミラーレンズ３から射出される反射光は、３次元微細構造物１を透過して拡大像を形成する。このとき所定の距離Ｌの位置では、ピッチ差（ｐ−ｗ）を起因として、隣接する拡大像が同じ位置あるいは略同じ位置に重なり合うことで実像を形成する。これもタイプＡのセキュリティ媒体と同様、モアレ効果を利用したものであって、観察者は、拡大された３次元微細構造物１を浮いた状態で観察することが可能となる。
【００５１】
このように拡大して観察される３次元微細構造物１の拡大率について検証しておく。図９において幾何学上の相似関係から（３−１）式を導くことができる。
ｗ／Ｌ＝ｐ／（Ｌ＋ｄ）    ・・・（３−１）
（２−１）式を変形すると、
Ｌ＝ｄｗ／（ｐ−ｗ）      ・・・（３−２）
【００５２】
同様に、幾何学上の相似関係から（３−３）式を導くことができる。
ｄ／ｈ＝（ｄ＋Ｌ）／Ｈ    ・・・（３−３）
（２−３）式を変形すると、
Ｌ＝ｄ（Ｈ／ｈ−１）      ・・・（３−４）
【００５３】
（３−２）式と（３−４）式から、観察される３次元微細構造物１の拡大率αは（３−５）式にて表すことができる。
α＝Ｈ／ｈ＝ｐ／（ｐ−ｗ）・・・（３−５）
【００５４】
一方、図１０は、図９と同様、観察者側に３次元微細構造物１を位置させることで真贋判定を行うセキュリティ媒体（タイプＢ）であって、マイクロミラーレンズ３のピッチｐよりも３次元微細構造物１のピッチｗが大きい場合（ｗ＞ｐ）の構成となっている。図１０には、マイクロミラーレンズ３によって形成されるミラー面と、３次元微細構造物１、並びに観察される虚像が模式的に示されている。
【００５５】
３次元微細構造物１は、Ｚ軸上すなわち観察者の観察方向において、マイクロミラーレンズ３の略焦点位置に配置される。略焦点位置とは、観察者が拡大された３次元微細構造物１を視認できる範囲の位置を意味するものであって、正確な焦点距離に対し約３０％範囲以内の位置のことをいう。隣接するマイクロミラーレンズミラー３間のピッチをｐ、隣接する３次元微細構造物１間のピッチをｗ、３次元微細構造物１の直径をｈ、マイクロミラーレンズミラー３の曲率半径の中心位置から３次元微細構造物１までの距離をｄ、３次元微細構造物１からその虚像までの距離をＬとする。
【００５６】
この場合、マイクロミラーレンズ３から射出された反射光は、３次元微細構造物１を透過して拡大像を形成する。所定の距離Ｌの位置では、ピッチ差（ｗ−ｐ）を起因として、隣接する拡大像が同じ位置あるいは略同じ位置に重なり合うことで虚像を形成する。観察者は拡大された３次元微細構造物１を沈んだ状態で観察することが可能となる。
【００５７】
このように拡大して観察される３次元微細構造物１の拡大率について検証しておく。図１０において幾何学上の相似関係から（４−１）式を導くことができる。
ｗ／Ｌ＝ｐ／（Ｌ−ｄ）    ・・・（４−１）
（１−１）式を変形すると、
Ｌ＝ｄｗ（ｗ−ｐ）        ・・・（４−２）
【００５８】
同様に、幾何学上の相似関係から（４−３）式を導くことができる。
h／ｄ＝Ｈ／（Ｌ−ｄ）    ・・・（４−３）
（４−３）式を変形すると、
Ｌ＝ｄ（Ｈ／ｈ＋１）      ・・・（４−４）
【００５９】
（４−２）式と（４−４）式から、観察される３次元微細構造物１の拡大率αは（４−５）式にて表すことができる。
α＝Ｈ／ｈ＝ｐ／（ｐ−ｗ）  ・・・（４−５）
【００６０】
タイプＡ、タイプＢのセキュリティ媒体それぞれについて、ｗ＞ｐの場合と、ｗ＜ｐの場合の拡大率について検討したが、次にｗ＞ｐの場合（ケース１）、ｗ＜ｐの場合（ケース２）のそれぞれについて、３次元微細構造物のピッチｗの好適とされる範囲について検討する。ここではマイクロレンズ２を使用したタイプＡについて検討するが、マイクロミラーレンズ３を用いたタイプＢについても同様である。
【００６１】
まず、ｗ＞ｐの場合（ケース１）について３次元微細構造物１のピッチｗの上限、下限について説明する。
３次元微細構造物１に対するピッチ差（ｗ−ｐ）の比率をＡ［％］とすると、
３次元微細構造物１に対するマイクロレンズ２のピッチ差は、
ｗ−ｐ＝ｗ×Ａ／１００        ・・・（５−１）
で表すことができる。このピッチ差を用いてマイクロレンズ２のピッチｐは、
ｐ＝ｗ（１−Ａ／１００）      ・・・（５−２）
と表すことができる。
【００６２】
ケース１の場合、拡大率αは（１−５）式で表すことができる。ピッチｗ内に位置する３次元微細構造物１は、ピッチｗと拡大率αの積となる大きさβを上限として観察されることとなる。
β＝ｗ×α＝ｗ（ｐ／ｗ−ｐ）  ・・・（５−３）
【００６３】
観察時における大きさβを２０００［μｍ］（２［ｍｍ］）以上の大きさに設定することを考えると（５−３）式から
β＝ｗ（ｐ／ｗ−ｐ）≧２０００    ・・・（５−３）’
の関係が必要となる。（５−３）’式に（５−２）式を代入すると、
１００ｗ／（２０００＋ｗ）≧Ａ      ・・・（５−３）’’
なる関係が得られ、３次元微細構造物１に対するピッチ差（ｗ−ｐ）の比率Ａは、３次元微細構造物１のピッチｗに依存することが分かる。
【００６４】
図１１は、（５−３）’’をグラフ化した図であって、ｗ＞ｐの場合（ケース１）における３次元微細構造物のピッチｗと、ピッチｗに対するピッチ差（ｗ−ｐ）の比率Ａを示した図である。実線は（５−３）’’において、大きさβがちょうど２０００［μｍ］となる値を示している。この実線よりも下方、図ではドットが付された領域内では大きさβは２０００［μｍ］よりも大きい値となる。
【００６５】
３次元微細構造物１のピッチｗの上限は３００［μｍ］以下に設定することが好ましい。３次元微細構造物１のピッチｗを３００［μｍ］以上とすると、レンズ等の拡大手段を用いなくてもピッチｗ内に配置される３次元微細構造物１を目視で容易に観察可能となる。したがって、偽造や模造を防止する上では目視で観察できない大きさにピッチｗを設けることが好ましい。さらに好ましくは、ピッチｗの上限を１００［μｍ］に設定することとする。目視での観察をより困難な状態とし、偽造、模造をさらに抑制することが可能となる。
【００６６】
一方、マイクロレンズ２のピッチｐは、３次元微細構造物１のピッチｗと同様に３００［μｍ］以下とすることが好ましく、１００［μｍ］以下の大きさに設定することがさらに好ましい。観察される実像または虚像は１個のマイクロレンズ２を１画素として観察される。ピッチｐが３００［μｍ］以上になると画素が粗くなり解像度の低い観察像となってしまう。一方、ピッチｐが１００［μｍ］以下では画素が目視でほとんど見えなくなり解像度の高い像を提供することが可能となる。
【００６７】
また３次元微細構造物１のピッチｗの下限は１０［μｍ］とすることが好ましい。これは、ピッチ差（ｗ−ｐ）の比率Ａを理由とするものである。本実施形態ではモアレ効果を利用して像を拡大する関係上、３次元微細構造物１とマイクロレンズ２のピッチ差が重要である。しかしながら、ピッチ差の比率Ａは０．５［％］以上の精度で合わせ込むことは困難である。したがって、３次元微細構造物１のピッチｗの下限は、β＝２０００［μｍ］におけるピッチ差の比率Ａ＝０．５［％］としたときの値である１０［μｍ］に設定することが好ましい。
【００６８】
次に、ｗ＜ｐの場合（ケース２）について３次元微細構造物１のピッチｗの上限、下限について説明する。
３次元微細構造物１に対するピッチ差（ｗ−ｐ）の比率をＡ［％］とすると、
３次元微細構造物１に対するマイクロレンズ２のピッチ差は、
ｐ−ｗ＝ｗ×Ａ／１００        ・・・（６−１）
で表すことができる。このピッチ差を用いてマイクロレンズ２のピッチｐは、
ｐ＝ｗ（１＋Ａ／１００）      ・・・（６−２）
と表すことができる。
【００６９】
ケース２の場合、拡大率αは（２−５）式で表すことができる。ピッチｗ内に位置する３次元微細構造物１は、ピッチｗと拡大率αの積となる大きさβを上限として観察されることとなる。
β＝ｗ×α＝ｗ（ｐ／ｐ−ｗ）  ・・・（６−３）
【００７０】
観察時における大きさβを２０００［μｍ］（２［ｍｍ］）以上の大きさに設定することを考えると（６−３）式から
β＝ｗ（ｐ／ｐ−ｗ）≧２０００    ・・・（６−３）’
の関係が必要となる。（６−３）’式に（６−２）式を代入すると、
１００ｗ／（２０００−ｗ）≧Ａ      ・・・（６−３）’’
なる関係が得られ、３次元微細構造物１に対するピッチ差（ｐ−ｗ）の比率Ａは、ケース１の場合と同様、３次元微細構造物１のピッチｗに依存することが分かる。
【００７１】
図１２は、（６−３）’’をグラフ化した図であって、ｗ＜ｐの場合（ケース２）における３次元微細構造物のピッチｗと、ピッチｗに対するピッチ差（ｐ−ｗ）の比率Ａを示した図である。実線は（６−３）’’において、大きさβがちょうど２０００［μｍ］となる値を示している。この実線よりも下方、図ではドットが付された領域内では大きさβは２０００［μｍ］よりも大きい値となる。
【００７２】
ケース１の場合と同様、３次元微細構造物１のピッチｗの上限は、偽造や模造抑制の観点から３００［μｍ］以下に設定することが好ましい。さらには１００［μｍ］に設定することが好ましい。
【００７３】
また、ケース１の場合と同様、マイクロレンズ２のピッチｐについては、３００［μｍ］以下の大きさに設定することが好ましく、１００［μｍ］以下の大きさに設定することがさらに好ましい。
【００７４】
また、ケース２の場合、３次元微細構造物１のピッチｗの下限は１０［μｍ］とすることが好ましい。これはケース１の場合と同様、ピッチ差の比率Ａを０．５［％］以上に合わせ込むことが困難であることを理由としている。したがって、３次元微細構造物１のピッチｗの下限は、β＝２０００［μｍ］におけるピッチ差の比率Ａ＝０．５［％］としたときの値である１０［μｍ］に設定することが好ましい。
【００７５】
では、本発明の実施形態に係るセキュリティ媒体の構成について説明する。本実施形態のセキュリティ媒体は、３次元微細構造物アレイの上にマイクロレンズアレイを重ねて観察するタイプ（タイプＡ）、あるいは、マイクロミラーレンズアレイの上に３次元微細構造物アレイを重ねて観察するタイプ（タイプＢ）に分けられる。
【００７６】
（実施例１）
図１３には、セキュリティ媒体（タイプＡ）を備えたセキュリティカード４と判定シート９の組からなる真贋判定具の断面図が示されている。この実施例１は、図１、図２で説明したセキュリティカード４と判定シート９の形態に相当したものであって、図１３（ａ）は分離した状態であって図１の状態に相当し、図１３（ｂ）は、重畳した状態であって図２の状態に相当している。また各断面は、図２に示すＡ−Ａ’間のＺＸ平面での断面図）である。
【００７７】
本実施形態のセキュリティ媒体は、３次元微細構造物シート１０として構成され、紙幣や有価証券などのシート類あるいはクレジットカードなどのカード類にラベルとして貼着する形態となっている。以下に３次元微細構造物シート１０の製造過程を説明する。
【００７８】
工程１：Ｓｉ基板の上にポジレジスト（東京応化工業社製ＰＭＥＲ  Ｐ−ＬＡ９００ＰＭ）を２０μｍの膜厚で塗布し、フォトマスクを介して、ステッパ露光、現像処理、Ａｌスパッタを施し、１つ９０μｍの大きさ（高さ５μｍ）の３次元微細構造物１を有する凹凸パターンを２０ｍｍ×２０ｍｍのエリア内にＸ方向９９μｍ、Ｙ方向９９μｍピッチで配列したレジスト原版を作製する。
【００７９】
工程２：工程１で作製したレジスト原版の上にＵＶ硬化樹脂１２を滴下し、ＰＥＴなどを材料とする基材１１を被せた後、３６５ｎｍのＵＶ（紫外線）を照射して硬化させ、レジスト原版から剥離することで表面に３次元微細構造物１が形成された複製版を作製する。なお、基材１１、ＵＶ硬化樹脂１２は、使用時において光を透過できるよう透明な材質が選定される。
【００８０】
工程３：工程２の複製版の３次元微細構造物１の表面に反射層１３を形成する。本実施形態では、Ａｌ（アルミニウム）を約３０ｎｍスパッタすることで３次元微細構造物１の表面に反射層１３を形成している。反射層１３は、このようにＡｌなどの金属層を設けることなどで完全反射型とする構成以外に、高屈折率層、薄い金属層、あるいは多層膜を設けることで半透過型とすることとしてもよい。
【００８１】
さらにこのような３次元微細構造物１の裏面、すなわち、観察側とは反対側に反射層１３が設けられた構成によれば、マイクロレンズ２から入射する光は、レジスト原版でＵＶ硬化樹脂１２に賦形された３次元微細構造物１の表面で直接反射して、観察者に拡大像を提示する。観察者は、賦形時における３次元微細構造物１の形を観察することとなり、エッジなまり等を抑えた先鋭な形状を観察することが可能となる。
【００８２】
工程４：抜き刃を用いて、工程３で反射層１３が形成された複製版を１５ｍｍ×１５ｍｍに打ち抜き、３次元微細構造物シート１０が作製される。
【００８３】
本実施形態では、このように３次元微細構造物１の形成にあたり、ＵＶ硬化樹脂（光硬化性樹脂）を用いることとしたが、このほか、熱硬化性樹脂あるいは熱可塑性樹脂を用いて形成することとしてもよい。
【００８４】
このような工程で作製された３次元微細構造物シート１０は、ヒートシール６１等を介してシート３１などの被着体に貼着される。
【００８５】
一方、判定シート９には、プラスチックシートなど透明な基材の片面に、金型加工（熱プレスなど）により賦形されたマイクロレンズ２が形成される。真贋判定は図１３（Ａ）の矢印に示されるように３次元微細構造物シート１０が貼着されたシート３１に、マイクロレンズ２が形成された判定シート９を重ねることで行われる。図１３（Ｂ）には、重ねた状態が示されている。なお、図は模式的に示したものであって、実際には３次元微細構造物シート１０の厚さはごく薄く形成されるため、３次元微細構造物シート１０が介在した状態であっても判定シート９とシート３１は略接触した状態となる。
【００８６】
なお、本実施形態では、判定シート９におけるマイクロレンズ２の形成には、ＵＶ硬化樹脂を用いた賦形方法を用いることとしてもよい。
【００８７】
この状態では、マイクロレンズ２の略焦点位置に３次元微細構造物１が位置することで拡大された３次元微細構造物１を観察することが可能とされる。重ねたときにマイクロレンズ２の略焦点位置に３次元微細構造物１を位置させるため、判定シート９の厚さ、並びに３次元微細構造物シート１０の厚さは、マイクロレンズ２の焦点距離を考慮して設定さ
れたものとなる。
【００８８】
（実施例２）
図１４には、セキュリティ媒体（タイプＢ）を備えたセキュリティカード４と判定シート９の組からなる真贋判定具の断面図が示されている。図の形態は実施例１と同様であるが、マイクロミラーレンズ３からの反射光にて３次元微細構造物１を拡大して観察する点において異なっている。図１４（ａ）は、分離した状態の判定シート７と、マイクロミラーレンズシート２０が貼付されたシート３１が、図１４（ｂ）は、重ねた状態の判定シート２０とシート３１の構成が示されている。以下にマイクロミラーレンズシート２０の製造過程を説明する。
【００８９】
工程１：Ｓｉ基板の上にポジレジスト（東京応化工業社製ＰＭＥＲ  Ｐ−ＬＡ９００ＰＭ）を２０μｍの膜厚で塗布し、フォトマスクを介して、ステッパ露光、現像処理、Ａｌスパッタを施し、２０ｍｍ×２０ｍｍのエリア内に、Ｘ方向１００μｍ、Ｙ方向１００μｍピッチで多数配列したマイクロミラーレンズアレイの原版を作製する。
【００９０】
工程２：工程１で作製したのマイクロミラーレンズアレイの原版の上にＵＶ硬化樹脂２２を滴下し、ＰＥＴなどを材料とする基材２１を被せた後、３６５ｎｍのＵＶ(紫外線)を照射して硬化させ、レジスト原版から剥離することで表面にマイクロミラーレンズ３の原型を有する複製版を作製する。
【００９１】
工程３：工程２の複製版のマイクロミラーレンズ３の表面に反射層２３を形成する。本実施形態では、Ａｌ（アルミニウム）を約３０ｎｍスパッタすることで３次元微細構造物１の表面に反射層１３を形成している。前述した実施例と同様、反射層１３には、完全反射型、半透過型、どちらを採用することとしてもよい。
【００９２】
工程４：抜き刃を用いて、工程３で反射層１３が形成された複製版を１５ｍｍ×１５ｍｍに打ち抜き、マイクロミラーレンズシート２０が作製される。
【００９３】
このような工程で作製されたマイクロミラーレンズシート２０は、ヒートシール６１等を介してシート３１などの被着体に貼着される。
【００９４】
一方、判定シート９には、３次元微細構造物１が賦形されているが、この形成はシートに滴下したＵＶ硬化樹脂上に３次元微細構造物１の原版となる複製版を重ねた状態で、ＵＶ光を照射してＵＶ硬化樹脂を硬化させ、複製版を剥離することで形成される。あるいは、シートを用いることなくＵＶ硬化樹脂のみで形成することとしてもよい。３次元微細構造物１の形成方法には、金型を用いた熱プレスを採用することも可能である。
【００９５】
このように作製されたマイクロミラーレンズシート２０に判定シート９を重ねることで、マイクロミラーレンズ３からの反射光にて拡大された３次元微細構造物１を観察することができた。
【００９６】
以上、実施例１、実施例２では、３次元微細構造物シート１０あるいはマイクロミラーレンズシート２０で構成されるセキュリティ媒体、セキュリティ媒体とは別体の判定シート９を用いることで、いわば判定シート９を鍵としてセキュリティ媒体の真贋判定を行うことを可能としている。
【００９７】
以降説明する実施例では１つの媒体上に３次元微細構造物アレイ６とマイクロレンズアレイ７もしくはマイクロミラーレンズアレイが設けられ、３次元微細構造物アレイ６とマイクロレンズアレイ７（もしくは３次元微細構造物アレイ６とマイクロミラーレンズアレ
イ）とを分離した状態、ならびに重畳した状態で観察可能としている。このような実施例では、分離した状態においても３次元微細構造物６とマイクロレンズアレイ７を観察することが可能となる。３次元微細構造物アレイ６、マイクロレンズアレイ７が分離された状態において、判定対象となる３次元微細構造物アレイ６（マイクロレンズアレイ７あるいはマイクロミラーレンズアレイ）を真の３次元微細構造物アレイ６と対比し、色調などを比較することで、真の３次元微細構造物アレイ６（マイクロレンズアレイ７あるいはマイクロミラーレンズアレイ）であるかを判定することが可能となる。このように重畳した状態に加えて分離した状態においても真贋判定を行うことが可能となるため、真贋判定の精度向上を図ることが可能とされる。
【００９８】
（実施例３）
図１５は、本発明の実施形態に係るセキュリティ媒体（タイプＡ）の形態を示す図である。本実施形態は紙幣など可撓性を有するシート３２の一面に３次元微細構造物アレイ６が形成され、他面にマイクロレンズアレイ７が形成された構成となっている。図１５（ａ）には紙幣１５の上面図が示されている。本実施例では紙幣１５の右側表面の一部領域（本発明でいう「第１の領域」）に３次元微細構造物アレイ６が、紙幣１５の左側裏面の一部領域にマイクロレンズアレイ７（本発明でいう「第２の領域」）が形成された構成となっている。
【００９９】
拡大された像を観察することによる真贋判定は、図１５（ｂ）のようにシート３２を曲げて、３次元微細構造物アレイ６上にマイクロレンズアレイ７を重ねることで実行される。重ねた状態で所定の像、すなわち拡大された３次元微細構造物１が観察されることで真の紙幣１５であることが判定される。
【０１００】
図１６には、図１５で説明した実施例３について、その断面の様子が示されている。図１６（ａ）は、図１５（ａ）のようにシート３２を曲げていない状態での断面、図１６（ｂ）は、シート３２を曲げ３次元微細構造物シート１０の上にシート３２を重ねた状態での断面を示している。なお、３次元微細構造物シート１０の製造方法、並びに、マイクロレンズ２の形成方法は、図１３で説明した実施例１と同様の方法で行うことができる。
【０１０１】
図１６（ａ）に示されるように、３次元微細構造物シート１０はシート３２の一面に貼着されるのに対し、マイクロレンズ２は他面に形成されている。図１６（ｂ）のように可撓性を有するシート３２を曲げることで、マイクロレンズ２が形成されたシート３２の部分を、３次元微細構造物シート１０に重ね、マイクロレンズ２側から観察することで、３次元微細構造物１を拡大して観察することが可能となる。
【０１０２】
この実施例３では、３次元微細構造物アレイ６とマイクロレンズアレイ７が同じシート３２に形成され、それらを重ねることで真贋判定を行うことが可能となるものであるが、３次元微細構造物アレイ６、マイクロレンズアレイ７の形成位置、並びに、形成される面を知らない者に対しては真贋判定を行うことができない。いわば、重ね方自体が鍵となる真贋判定が可能となる。図１５の形態では、左右略対称に３次元微細構造物アレイ６とマイクロレンズアレイ７を設け、シート３２の中央付近で折り曲げることで真贋判定を行うこととしているが、３次元微細構造物アレイ６とマイクロレンズアレイ７を設ける領域や位置などを変則的なものとしてもよい。
【０１０３】
なお、本形態では３次元微細構造物アレイ６とマイクロレンズアレイ７をシート３２の異なる面に形成しているが、３次元微細構造物アレイ６とマイクロレンズアレイ７をシート３２の同じ面に形成することとしてもよい。その場合、シートの曲げ方を変更することで、本形態のような３次元微細構造物アレイ６とマイクロレンズアレイ７の重畳関係を形成し、拡大された３次元微細構造物１の観察を行うことが可能となる。
【０１０４】
（実施例４）
実施例３では、紙幣など可撓性を有するシートに３次元微細構造物１を設けるため、３次元微細構造物シート１０を貼着する構成としたが、図１７のように３次元微細構造物１は、マイクロレンズ２と同様、シート３２に一体化させる構成としてもよい。このような構成においても、シート３２を曲げて３次元微細構造物１上にマイクロレンズ２を位置させて、拡大された３次元微細構造物１を観察することが可能となる。
【０１０５】
（実施例５）
実施例３あるいは実施例４の構成は、タイプＢ、すなわち、マイクロミラーレンズ３に３次元微細構造物１を重ねて観察する形態においても利用することが可能である。図１８は、本発明の実施形態に係るセキュリティ媒体（タイプＢ）の断面を示す図であって、図１６と同様の断面が示されている。シート３２上にはマイクロミラーレンズシート２０がヒートシール６１で貼着されているが、このマイクロミラーレンズシート２０の製造方法、並びに、３次元微細構造物１の形成方法は、図１４で説明した実施例２と同様の方法で行うことができる。
【０１０６】
図１８（ａ）に示されるように、マイクロミラーレンズシート２０がシート３２の一面の所定領域（本発明における「第２の領域」）に貼着され、３次元微細構造物１は他面の所定領域（本発明における「第１の領域」）に形成される。図１８（ｂ）のように可撓性を有するシート３２を曲げることで、３次元微細構造物１が形成されたシート３２の領域を、マイクロミラーレンズシート２０が形成される領域に重ね、３次元微細構造物１側から観察することで、反射光により３次元微細構造物１を拡大して観察することが可能となる。
【０１０７】
なお、この実施例５においても実施例４と同様、マイクロミラーレンズシート２０をシート３２に一体化させる構成としてもよい。また、３次元微細構造物アレイとマイクロミラーレンズアレイは、シート３２の同じ面に設けることとしてもよい。
【０１０８】
（実施例６）
図１９は、本発明の実施形態に係るセキュリティ媒体（タイプＡ）の形態を示す図である。本実施形態は冊子や本などにおいて隣接するシート（ページ）に３次元微細構造物アレイ６とマイクロレンズアレイ７が設けられたセキュリティ媒体となっている。図に示す実施例は冊子１６に適用した例であって隣り合うページとなる第１のシート３３と第２のシート３４が綴じて構成されている。第１のシート３３には３次元微細構造物アレイ６が設けられ、第２のシート３４にはマイクロレンズアレイ７が形成されている。冊子１６を閉じた状態とすることで、３次元微細構造物アレイ６上にマイクロレンズアレイ７が重なった状態となり、３次元微細構造物１を拡大観察することが可能となる。
【０１０９】
本実施形態では、第１のシート３３と第２のシート３４が綴じられたことで、３次元微細構造物アレイ６とマイクロレンズアレイ７の重なり位置は限定されたものとなってしまうが、３次元微細構造物アレイ６、マイクロレンズアレイ７を個別に観察することも可能となるため、重なった状態で拡大像を観察する真贋判定の他、個別観察による真贋判定を行うことも可能となる。
【０１１０】
図２０には、図１９で説明した実施例６について、その断面の様子が示されている。図２０（ａ）は、表紙ページとなる第２のシート３４を閉じかけた状態での断面が、図２０（ｂ）は、第２のシート３４を閉じて、３次元微細構造物シート１０の上にシート３２を重ねた状態での断面を示している。なお、３次元微細構造物シート１０の製造方法、並びに、マイクロレンズ２の形成方法は、図１３で説明した実施例１と同様の方法で行うこと
ができる。
【０１１１】
図２０（ａ）に示されるように、３次元微細構造物シート１０は第１のシート３３に貼着され、マイクロレンズ２は、第１のシートと隣合ったページとなる第２のシート３４に形成される。図２０（ｂ）のように第１のシート３３に第２のシート３４を重ねる、すなわち、第１のシート３３を閉じることで、マイクロレンズ２が形成された第２のシート３４の部分を、３次元微細構造物シート１０に重ね、マイクロレンズ２側から観察することで、３次元微細構造物１を拡大して観察することが可能となる。
【０１１２】
（実施例７）
実施例６の構成は、タイプＢ、すなわち、マイクロミラーレンズ３に３次元微細構造物１を重ねて観察する形態においても利用することが可能である。図２１は、本発明の実施形態に係るセキュリティ媒体（タイプＢ）の断面を示す図であって、図２０と同様の断面が示されている。第１のシート３３上にはマイクロミラーレンズシート２０がヒートシール６１で貼着されているが、このマイクロミラーレンズシート２０の製造方法、並びに、３次元微細構造物１の形成方法は、図１４で説明した実施例２と同様の方法で行うことができる。
【０１１３】
図２１（ａ）に示されるように、マイクロミラーレンズシート２０が第１のシート３３上に貼着されるのに対し、３次元微細構造物１は第１のシートと隣合ったページとなる第２のシート３４に形成される。図２１（ｂ）のように第１のシート３３に第２のシート３４を重ねる、すなわち、第１のシート３３を閉じることで、３次元微細構造物１が形成された第２のシート３４の部分を、マイクロミラーレンズシート２０に重ね、３次元微細構造物１側から観察することで、反射光により３次元微細構造物１を拡大して観察することが可能となる。
【０１１４】
なお、本発明はこれらの実施形態のみに限られるものではなく、それぞれの実施形態の構成を適宜組み合わせて構成した実施形態も本発明の範疇となるものである。
【符号の説明】
【０１１５】
１…３次元微細構造物
２…マイクロレンズ
３…マイクロミラーレンズ
４…セキュリティカード
５…セキュリティ媒体
６…３次元微細構造物アレイ
７…マイクロレンズアレイ
８…マイクロミラーレンズアレイ
９…判定シート
１０…３次元微細構造物シート
１１…基材
１２…ＵＶ硬化樹脂
１３…反射層
１５…紙幣
１６…冊子
２０…マイクロミラーレンズシート
２１…基材
２２…ＵＶ硬化樹脂
２３…反射層
３１、３２…シート
３３…第１のシート
３４…第２のシート
【図１】
0005867695.tif 000003
【図２】
0005867695.tif 000004
【図３】
0005867695.tif 000005
【図４】
0005867695.tif 000006
【図５】
0005867695.tif 000007
【図６】
0005867695.tif 000008
【図７】
0005867695.tif 000009
【図８】
0005867695.tif 000010
【図９】
0005867695.tif 000011
【図１０】
0005867695.tif 000012
【図１１】
0005867695.tif 000013
【図１２】
0005867695.tif 000014
【図１３】
0005867695.tif 000015
【図１４】
0005867695.tif 000016
【図１５】
0005867695.tif 000017
【図１６】
0005867695.tif 000018
【図１７】
0005867695.tif 000019
【図１８】
0005867695.tif 000020
【図１９】
0005867695.tif 000021
【図２０】
0005867695.tif 000022
【図２１】
0005867695.tif 000023